(57)【要約】      （修正有）【課題】親台の内部に子台を収納可能とし、この親台と子台とでそれぞれ２枚ずつの板を設けることができるとともに、親台の親下板を幅狭に形成する必要なく配膳作業のスペースを十分に確保することができる運搬車兼載置台を提供する。【解決手段】一対の脚枠４の上端側及び下端側を連結杆５にて連結し、この上下各一対の連結杆５に、上方配膳板と下方配膳板１１とが各々配置された親台１と、４本の子脚部材と上方子配膳板及び下方子配膳板とを備え、上記親台１に収納可能とした子台と、この親台１と子台とを連結可能とする連結板とを備えている。そして、上記親台１の上記下方配膳板１１の一側を回動可能に軸支し、非使用時には、上記下方配膳板１１を鉛直方向に回動させて子台を収納可能とし、配膳時には上記下方配膳板１１を水平方向に回動させて配膳台として使用可能とする。【選択図】図１
2020089628.tif 000002
【特許請求の範囲】
【請求項１】
下端にキャスターを接続した一対の脚部材を横杆にて連結した脚枠を一対備えるとともに、この一対の脚枠の上端側及び下端側を、各対ごとに同一高さに設けた各一対の連結杆にて連結し、この上下各一対の連結杆に、上方配膳板と下方配膳板とが各々配置された親台と、下端に子キャスターを接続した４本の子脚部材と、この子脚部材の上端側及び下端側にそれぞれ固定配置した上方子配膳板及び下方子配膳板とを備え、上記親台の上方配膳板及び連結杆で囲まれた空間に収納可能とした子台と、上記親台と子台との間に取り外し可能に配置して、この親台と子台とを連結可能とする連結板とを備えたものにおいて、上記親台の下端側に設けた一対の連結杆のうち、一方の連結杆に上記下方配膳板の一側を、この下方配膳板が上方配膳板の下方で回動可能となるよう軸支することにより、非使用時には、上記下方配膳板を鉛直方向に回動させることにより、親台の上方配膳板と連結杆とで囲まれた空間に子台を収納可能とするとともに、配膳時には上記下方配膳板を水平方向に回動させてこの下方配膳板の他側を、他方の連結杆に当接させることにより、この下方配膳板を配膳台として使用可能としたことを特徴とする運搬車兼配膳台。
【請求項２】
子台の子脚部材には、上方子配膳板よりも下の位置に、長尺で平坦な受部を各対ごとにそれぞれ水平方向に架設して成る連結板収納部を設け、連結板の非使用時には、この連結板収納部に連結板を水平方向にスライドさせながら挿入することにより、この連結板を上方子配膳板の下方に収納配置可能としたことを特徴とする請求項１の運搬車兼配膳台。
【請求項３】
上記親台は、脚部材を、磁力を備えた金属製の材料にて形成するとともに、下方配膳板には、この下方配膳板を上方に回動した際の上記脚部材との当接位置に磁石部材を設け、下方配膳板の非使用時には、この下方配膳板を上記磁石部材が脚部材に当接する位置まで回動するとともに、この脚部材に上記磁石部材にて位置固定可能としたことを特徴とする請求項１の運搬車兼配膳台。
【発明の詳細な説明】
【技術分野】
【０００１】
本発明は、学校や病院等で給食を供する際に使用する運搬車兼配膳台に関するものである。
【背景技術】
【０００２】
従来より、給食用の食器や料理等を載置して調理室から教室や病室などに運搬するとともに配膳台として使用する運搬車兼配膳台が広く使用されている。そしてこの運搬車兼配膳台は、特許文献１や図８、９に示す如く親台と、この親台の内方に収納して移動可能な子台とから成るものが一般的に使用されている。
【０００３】
その一例を示すと、図８に示す如く親台(50)は、下端にキャスター(51)を設けた一対の親脚部(52)の上部に親上板(53)を載置している。また子台(54)には、同じく下端にキャスター(55)を設けた一対の子脚部(56)を、上記親脚部(52)の形成間隔よりも幅狭な間隔を介して形成し、この子脚部(56)の上部に子上板(57)を設けるとともに、この子上板(57)の一定間隔を介した下方に子下板(58)を設けている。そして未使用時には、親台(50)の親上板(53)と一対の親脚部(52)とで囲まれた空間に子台(54)を収納配置するとともに、配膳時には、親台(50)の内部から子台を引き出して使用するものである。
【０００４】
しかし上記従来例では子台(54)には子上板(57)と子下板(58)との２枚の板を設けることが出来るが、親台(50)には子台(54)を収納するための空間を確保するために親上板(53)のみの１枚の板しか設けることができない。そこでこのような課題を解決するために、特許文献１に記載の考案が知られている。この従来例では、親台の一対の親脚部の上部と下部に、親上板と親下板を各々配置している。また、子台にも一対の子脚部に子上板と子下板とを各々設け、親台と子台とで計４枚の板を設けて配膳台を形成している。そして子台の一方の子脚部を一対の親脚部の間隔に挿入し、親台の内部を子台が進退動可能なものとしている。
【特許文献１】実公平７−１９２９５号公報
【発明の概要】
【発明が解決しようとする課題】
【０００５】
しかしながら、上記特許文献１に示す従来例では、親台から子台の出し入れを行う際に、子脚部が親台の親脚部の間隔をスムーズに通過可能とするために、子脚部の形成幅を、親脚部の形成幅よりも幅狭に形成しなければならない。更に、子脚部が親下板に引っかかることなく進退動可能とするためには、親下板を子脚部の形成間隔よりも幅狭に形成しなければならない。よって、親下板の形成幅を他の板よりも幅狭に形成しなければならないことから、親上板、子上板、子下板と比べて配膳作業のスペースを十分に確保することが困難であった。
【０００６】
そこで、本発明は上記の如き課題を解決しようとするものであって、親台の内部に子台を収納可能とし、この親台と子台とでそれぞれ２枚ずつの板を設けることができるとともに、親台の親下板を幅狭に形成する必要なく配膳作業のスペースを十分に確保することができる運搬車兼載置台を得ようとするものである。
【課題を解決するための手段】
【０００７】
本願発明は上述の如き課題を解決したものであって、下端にキャスターを接続した一対の脚部材を横杆にて連結した脚枠を一対備えるとともに、この一対の脚枠の上端側及び下端側を、各対ごとに同一高さに設けた各一対の連結杆にて連結し、この上下各一対の連結杆に、上方配膳板と下方配膳板とが各々配置された親台と、下端に子キャスターを接続した４本の子脚部材と、この子脚部材の上端側及び下端側にそれぞれ固定配置した上方子配膳板及び下方子配膳板とを備え、上記親台の上方配膳板及び連結杆で囲まれた空間に収納可能とした子台と、上記親台と子台との間に取り外し可能に配置して、この親台と子台とを連結可能とする連結板とを備えたものにおいて、上記親台の下端側に設けた一対の連結杆のうち、一方の連結杆に上記下方配膳板の一側を、この下方配膳板が上方配膳板の下方で回動可能となるよう軸支することにより、非使用時には、上記下方配膳板を鉛直方向に回動させることにより、親台の上方配膳板と連結杆とで囲まれた空間に子台を収納可能とするとともに、配膳時には上記下方配膳板を水平方向に回動させてこの下方配膳板の他側を、他方の連結杆に当接させることにより、この下方配膳板を配膳台として使用可能としたものである。
【０００８】
上記の如く親台の下方配膳板を回動可能に形成することにより、この下方配膳板を鉛直方向に回動させることによって、親台の上方配膳板と連結杆とで囲まれた部分に空間が形成されるものとなる。そのため、この空間に子台を容易に収納することが可能となる。また下方配膳板を配膳台として使用する場合には、子台を親台から分離するとともに親台の下方配膳板を水平方向に回動させ、他方の連結杆にこの下方配膳板を当接させる。この時、一方の連結杆と他方の連結杆とが一対の脚枠の下方に同一高さに設けられていることから、下方配膳板を水平に固定配置することができ、配膳台としての使用が可能となる。
【０００９】
子台の子脚部材には、上方子配膳板よりも下の位置に、長尺で平坦な受部を各対ごとにそれぞれ水平方向に架設して成る連結板収納部を設け、連結板の非使用時には、この連結板収納部に連結板を水平方向にスライドさせながら挿入することにより、この連結板を上方子配膳板の下方に収納配置可能としたものであっても良い。これにより、連結板の非使用時にこの連結板の保管場所を別途設ける必要がないとともに、スペースをとらずに収納することができるため、連結板の非使用時における保管や収納作業を容易なものとすることができる。
【００１０】
また上記親台は、脚部材を、磁力を備えた金属製の材料にて形成するとともに、下方配膳板には、この下方配膳板を上方に回動した際の上記脚部材との当接位置に磁石部材を設け、下方配膳板の非使用時には、この下方配膳板を上記磁石部材が脚部材に当接する位置まで回動するとともに、この脚部材に上記磁石部材にて位置固定可能としたものであっても良い。これにより、下方配膳板の非使用時には、この下方配膳板を鉛直方向に回動させるとともに脚部材に当接させて、更に上記磁石部材にて固定状態とすることができるため、下方配膳板の鉛直状態を安定して保持することが可能となり、安全に使用することができる。
【発明の効果】
【００１１】
本願発明は上記の如く、親台の下方配膳板を鉛直方向に回動させることによって、親台の上方配膳板と連結杆とで囲まれた部分に空間が形成されるものとなるため、この空間に子台を容易に収納することができる。また下方配膳板を配膳台として使用する場合には、子台を親台から分離するとともに下方配膳板を水平方向に回動させるとともに他方の連結杆に当接させることにより、下方配膳板を水平方向に安定的に固定配置することができる。そのため、使用時には即座に配膳台としての使用が可能となる。
【００１２】
このように、本発明は簡易な構成により下方配膳板の非使用時には、この下方配膳板を鉛直方向に回動させることにより、親台の内方に子台を容易に収納することができ、また使用時にはこの下方配膳板を水平方向に回動させることにより、即座に配膳台として使用することができるため、親台への子台の収納を容易なものとすることが出来るとともに、配膳時には下方配膳板を幅狭にする必要がなく十分な配膳スペースを確保することができる。
【図面の簡単な説明】
【００１３】
【図１】本発明の実施例１を示す親台の側面図。
【図２】親台の斜視図。
【図３】下方配膳板の斜視図。
【図４】親台の内部に子台を収納した状態を示す斜視図。
【図５】子台の斜視図。
【図６】連結板収納部への連結板の収納作業を示す概念図。
【図７】親台と子台とを連結板にて連結した状態を示す断面図。
【図８】従来例の非使用時を示す斜視図。
【図９】従来例の配膳台としての使用時を示す斜視図。
【実施例１】
【００１４】
本発明の実施例１について、図１〜７において以下に説明する。まず、図１に示す如く(1)は親台であって、磁力を備えたステンレス製の一対の脚部材(2)を複数の横杆(3)にて連結することにより脚枠(4)を形成している。またこの脚部材(2)の下端には、キャスター(15)をそれぞれ接続している。そして図２に示す如く、この脚枠(4)を両側に一対設けるとともに、この脚部材(2)の間をそれぞれ上方に一対、下方に一対設けた連結杆(5)にて連結している。
【００１５】
即ち、一対の脚枠(4)の上方に同一高さの一対の上方連結杆(6)を、下方に同一高さの一対の下方連結杆(7)(8)をそれぞれ連結している。尚、上記上方連結杆(6)及び下方連結杆(7)(8)は、上記横杆(3)よりも長尺に形成している。また一対の脚枠(4)の上端には、親台(1)を押して移動させる際に作業者が把持するためのコ字型に折曲形成した親把持杆(12)を各々設けている。
【００１６】
そして上記一対の上方連結杆(6)及び下方連結杆(7)(8)には、それぞれ長方形状の上方配膳板(10)及び下方配膳板(11)を設けている。具体的には、上方配膳板(10)を、一対の上方連結杆(6)の間隔に固定配置するとともに、下方配膳板(11)を一対の下方連結杆(7)(8)の間隔に、回動可能となるよう組みつけている。
【００１７】
即ちこの下方配膳板(11)は、図１に示す如く一対の下方連結杆(7)(8)のうちの一方の下方連結杆(7)に下方配膳板(11)の一側(13)を軸支している。そして、この下方配膳板(11)が、上記一側(13)を中心として図１の矢印にて示す如く、上記上方配膳板(10)の下方で回動可能なものとしている。
【００１８】
そして配膳台として使用する際には、上記下方配膳板(11)を回動させて、他側(17)を他方の下方連結杆(8)に当接配置することができるよう構成している。この時、一方の下方連結杆(7)と他方の下方連結杆(8)とは、一対の脚枠(4)の下方に同一高さに設けられている。従って、下方配膳板(11)を水平に固定配置することができ、配膳台としての使用が可能となる。
【００１９】
本実施例では上記の如く、下方配膳板(11)を回動可能に親台(1)に組み付けるとともに、子台(20)の収納時にはこの下方配膳板(11)を鉛直方向に回動させて使用するものであるから、従来例の如くこの下方配膳板(11)を幅狭に形成する必要がなく上方配膳板(10)と同じサイズに形成可能であるため、配膳時には配膳スペースを従来例よりも広く確保することができる。
【００２０】
また図３に示す如く、この下方配膳板(11)の短辺側の両側には、他方の下方連結杆(8)側にそれぞれ磁石部材(16)を突設している。そして、この下方配膳板(11)を鉛直方向に回動させた際に、上記一対の磁石部材(16)が下方配膳板(11)の両側に位置する脚部材(2)にそれぞれ当接するよう、上記磁石部材(16)を配置している。これにより、図３に示す如く、下方配膳板(11)を上記磁石部材(16)が脚部材(2)に当接する位置まで鉛直方向に回動させた際に、この磁石部材(16)が磁力により脚部材(2)に当接固定されるため、下方配膳板(11)を鉛直状態に安全に保持することが可能となる。
【００２１】
また上記の如く形成した親台(1)の内部には、図４に示す如く子台(20)を進退動自在に挿入配置している。この子台(20)について説明すると、上記親台(1)と同様に、図５に示す如く下端にそれぞれ子キャスター(37)を接続した４本の子脚部材(21)のうち、対の２本ずつをそれぞれ子横杆(22)にて連結し、一対の子脚枠(23)を形成している。
【００２２】
この一対の子脚枠(23)を、この子横杆(22)よりも長尺な一対の上方子連結杆(24)及び下方子連結杆(25)にて子脚部材(21)の上方及び下方でそれぞれ連結している。また上記一対の子脚枠(23)のうちの一方の子脚枠(23)の上端には、子台(20)を押して移動させる際に作業者が把持するためのコ字型に折曲形成した子把持杆(26)を設けている。
【００２３】
そして上記上方子連結杆(24)及び下方子連結杆(25)には、それぞれ上方子配膳板(27)及び下方子配膳板(28)を設けている。また、各子脚枠(23)の上方子配膳板(27)よりも下方には、図６に示す如く長尺で水平方向に平坦な一対の受部(30)を子横杆(22)と同一方向に架設しており、この一対の受部(30)により本実施例の連結板収納部(31)を形成している。
【００２４】
また配膳の際には、図７に示す如く親台(1)と子台(20)との間に連結板(32)を架設している。即ち、連結板(32)は長方形状に形成されたものであって、底面(33)には、一対の短辺に沿って断面コ字型の係合チャンネル(34)をそれぞれ開口部(35)が下方に向くよう固定配置している。また、親台(1)及び子台(20)には、この係合チャンネル(34)に係合可能な係合横杆(14)、及び係合子横杆(36)をそれぞれ設けている。また、上記連結板(32)が上記親台(1)及び子台(20)との間で水平に位置するよう、連結横杆及び連結子横杆(22)は、双方が同じ高さに位置するように、親台(1)及び子台(20)に組みつけられている。
【００２５】
上記の如く構成した運搬車兼配膳台の使用方法について以下に説明する。まず、非使用時には図４に示す如く、親台(1)の上方配膳板(10)、脚枠(4)、上方連結杆(6)、及び下方連結杆(7)(8)とで囲まれた空間内に子台(20)が収納された状態で保管される。この様な状態で保管することにより、親台(1)と子台(20)とを、親台(1)分の収納スペースのみで保管することができるため、効率の良い保管ができる。
【００２６】
次に配膳時には、まず親台(1)から子台(20)を引き出す。そして、子台(20)の連結板収納部(31)から図６に示す如く連結板(32)を引き出して、図７に示す如く連結板(32)の係合チャンネル(34)を、親台(1)の係合横杆(14)と子台(20)の係合子横杆(36)とにそれぞれ係合して連結板(32)を親台(1)と子台(20)との間に架設する。これにより、連結板(32)は親台(1)と子台(20)との間に、この連結板(32)の長さ方向に水平に配置される。
【００２７】
また、磁石部材(16)にて脚部材(2)に固定されていた下方配膳板(11)を、図１に示す如く一方の下方連結杆(7)を軸に回動させてこの下方配膳板(11)の他側(17)を、他方の下方連結杆(8)に当接配置する。これにより、下方配膳板(11)を配膳台として使用することが可能となる。
【００２８】
そして親台(1)に子台(20)を収納する際には、まず親台(1)と子台(20)との間に架設していた連結板(32)を取り外し、この連結板(32)を子台(20)の連結板収納部(31)にスライドさせながら収納配置する。これにより、連結板(32)の非使用時にこの連結板(32)の保管場所を別途設ける必要がないとともに、スペースをとらずに収納することができるため、連結板(32)の非使用時における保管や収納作業を容易なものとすることができる。
【００２９】
更に、親台(1)の下方配膳板(11)を、この下方配膳板(11)の磁石部材(16)が親台(1)の脚部材(2)に当接する位置まで鉛直方向に回動させる。これにより、上記磁石部材(16)の磁力によって親台(1)が鉛直方向に脚部材(2)に当接固定されるものとなる。その後、子台(20)を親台(1)の内部に収納した状態で、所定の収納場所に保管される。
【００３０】
このように、下方配膳板(11)の非使用時には、この下方配膳板(11)を鉛直方向に回動させることにより、親台(1)の内方に子台(20)を容易に収納することができるとともに、使用時にはこの下方配膳板(11)を水平方向に回動させることにより、即座に配膳台として使用することができる。そのため、簡易な構成により親台(1)への子台(20)の収納を容易なものとすることが出来るとともに、配膳時には下方配膳板(11)を幅狭にする必要がなく十分な配膳スペースを確保することができる。
【符号の説明】
【００３１】
１  親台
２  脚部材
３  横杆
４  脚枠
５  連結杆
６  上方連結杆
７、８  下方連結杆
１０  上方配膳板
１１  下方配膳板
１３  一側
１５  キャスター
１６  磁石部材
１７  他側
２０  子台
２１  子脚部材
２７  上方子配膳板
２８  下方子配膳板
３０  受部
３１  連結板収納部
３２  連結板
３７  子キャスター
【図１】
2020089628.tif 000003
【図２】
2020089628.tif 000004
【図３】
2020089628.tif 000005
【図４】
2020089628.tif 000006
【図５】
2020089628.tif 000007
【図６】
2020089628.tif 000008
【図７】
2020089628.tif 000009
【図８】
2020089628.tif 000010
【図９】
2020089628.tif 000011